(57)【特許請求の範囲】
【請求項１】
無線ＬＡＮ内の機器によってＰＰＤＵ（Ｐｈｙｓｉｃａｌ  Ｌａｙｅｒ  Ｃｏｎｖｅｒｇｅｎｃｅ  Ｐｒｏｃｅｄｕｒｅ  Ｐｒｏｔｏｃｏｌ  Ｄａｔａ  Ｕｎｉｔ）に含まれるデータを送信する方法であって、前記方法は、
前記データのデータユニットをエンコーディングすることによって、エンコーディングされたデータユニットを生成するステップと、
前記エンコーディングされたデータユニットを分けることによって、一つ以上の空間ブロックを生成するステップと、
前記一つ以上の空間ブロックの各々を第１の周波数セグメント及び第２の周波数セグメントに分けるステップと、
前記第１の周波数セグメント及び前記第２の周波数セグメントをそれぞれインターリービングして、第１のインターリービングされたセグメント及び第２のインターリービングされたセグメントを生成するステップと、
前記第１のインターリービングされたセグメント及び前記第２のインターリービングされたセグメントを信号コンステレーションにそれぞれマッピングすることによって、第１のマッピングされたシーケンス及び第２のマッピングされたシーケンスを生成するステップと、
前記第１のマッピングされたシーケンス及び前記第２のマッピングされたシーケンスにＩＤＦＴ（Ｉｎｖｅｒｓｅ  Ｄｉｓｃｒｅｔｅ  Ｆｏｕｒｉｅｒ  Ｔｒａｎｓｆｏｒｍ）を実行して、送信信号を生成するステップと、
ＶＨＴ−ＳＩＧＡ（Ｖｅｒｙ  Ｈｉｇｈ  Ｔｈｒｏｕｇｈｐｕｔ  Ｓｉｇｎａｌ  Ａ）フィールド及びＶＨＴ−ＳＩＧＢ（Ｖｅｒｙ  Ｈｉｇｈ  Ｔｈｒｏｕｇｈｐｕｔ  Ｓｉｇｎａｌ  Ｂ）フィールドとともに前記データのための前記送信信号を送信するステップであって、前記ＶＨＴ−ＳＩＧＡフィールド、前記ＶＨＴ−ＳＩＧＢフィールド及び前記データは、同一のＰＰＤＵ（Ｐｈｙｓｉｃａｌ  Ｌａｙｅｒ  Ｃｏｎｖｅｒｇｅｎｃｅ  Ｐｒｏｃｅｄｕｒｅ  Ｐｒｏｔｏｃｏｌ  Ｄａｔａ  Ｕｎｉｔ）に含まれ、前記ＶＨＴ−ＳＩＧＡフィールドは、宛先ステーションに共通であり、前記ＶＨＴ−ＳＩＧＢフィールドは、前記ＰＰＤＵが前記宛先ステーションにより受信されるときに前記宛先ステーションの各々に対してＵＥ固有であり、前記ＶＨＴ−ＳＩＧＡフィールドは、前記宛先ステーションに対するグループＩＤ及び前記宛先ステーションの各々に対する少なくとも一つの空間ストリームに対する情報を含み、前記ＶＨＴ−ＳＩＧＢフィールドは、前記ＰＰＤＵが前記宛先ステーションにより受信されるときに前記宛先ステーションの各々に対するＭＣＳ情報を含む、ステップと
を含む、方法。
【請求項２】
前記第１の周波数セグメント及び前記第２の周波数セグメントの各々の帯域幅は、前記エンコーディングされたデータのために用いられる送信帯域幅の半分である、請求項１に記載の方法。
【請求項３】
無線ＬＡＮ内の機器であって、
送信器と、
前記送信器に動作可能に結合されたプロセッサと
を含み、前記プロセッサは、
ＰＰＤＵ（Ｐｈｙｓｉｃａｌ  Ｌａｙｅｒ  Ｃｏｎｖｅｒｇｅｎｃｅ  Ｐｒｏｃｅｄｕｒｅ  Ｐｒｏｔｏｃｏｌ  Ｄａｔａ  Ｕｎｉｔ）に含まれるデータのデータユニットをエンコーディングすることによって、エンコーディングされたデータユニットを生成することと、
前記エンコーディングされたデータユニットを分けることによって、一つ以上の空間ブロックを生成することと、
前記一つ以上の空間ブロックの各々を第１の周波数セグメント及び第２の周波数セグメントに分けることと、
前記第１の周波数セグメント及び前記第２の周波数セグメントをそれぞれインターリービングして、第１のインターリービングされたセグメント及び第２のインターリービングされたセグメントを生成することと、
前記第１のインターリービングされたセグメント及び前記第２のインターリービングされたセグメントを信号コンステレーションにそれぞれマッピングすることによって、第１のマッピングされたシーケンス及び第２のマッピングされたシーケンスを生成することと、
前記第１のマッピングされたシーケンス及び前記第２のマッピングされたシーケンスにＩＤＦＴ（Ｉｎｖｅｒｓｅ  Ｄｉｓｃｒｅｔｅ  Ｆｏｕｒｉｅｒ  Ｔｒａｎｓｆｏｒｍ）を実行して、送信信号を生成することと、
ＶＨＴ−ＳＩＧＡ（Ｖｅｒｙ  Ｈｉｇｈ  Ｔｈｒｏｕｇｈｐｕｔ  Ｓｉｇｎａｌ  Ａ）フィールド及びＶＨＴ−ＳＩＧＢ（Ｖｅｒｙ  Ｈｉｇｈ  Ｔｈｒｏｕｇｈｐｕｔ  Ｓｉｇｎａｌ  Ｂ）フィールドとともに前記データのための前記送信信号を送信するように前記送信器に指示することであって、前記ＶＨＴ−ＳＩＧＡフィールド、前記ＶＨＴ−ＳＩＧＢフィールド及び前記データは、同一のＰＰＤＵ（Ｐｈｙｓｉｃａｌ  Ｌａｙｅｒ  Ｃｏｎｖｅｒｇｅｎｃｅ  Ｐｒｏｃｅｄｕｒｅ  Ｐｒｏｔｏｃｏｌ  Ｄａｔａ  Ｕｎｉｔ）に含まれ、前記ＶＨＴ−ＳＩＧＡフィールドは、宛先ステーションに共通であり、前記ＶＨＴ−ＳＩＧＢフィールドは、前記ＰＰＤＵが前記宛先ステーションにより受信されるときに前記宛先ステーションの各々に対してＵＥ固有であり、前記ＶＨＴ−ＳＩＧＡフィールドは、前記宛先ステーションに対するグループＩＤ及び前記宛先ステーションの各々に対する少なくとも一つの空間ストリームに対する情報を含み、前記ＶＨＴ−ＳＩＧＢフィールドは、前記ＰＰＤＵが前記宛先ステーションにより受信されるときに前記宛先ステーションの各々に対するＭＣＳ情報を含む、ことと
を行うように構成される、機器。
【請求項４】
前記第１の周波数セグメント及び前記第２の周波数セグメントの各々の帯域幅は、前記エンコーディングされたデータのために用いられる送信帯域幅の半分である、請求項３に記載の機器。
【発明の詳細な説明】
【技術分野】
【０００１】
本発明は、無線通信に関し、より詳しくは、無線ＬＡＮシステムにおけるデータを送信する方法及びこれをサポートする装置に関する。
【背景技術】
【０００２】
最近、情報通信技術の発展とともに多様な無線通信技術が開発されている。このうち無線ＬＡＮ（ＷＬＡＮ）は、無線周波数技術に基づいて個人携帯用情報端末機（Ｐｅｒｓｏｎａｌ  Ｄｉｇｉｔａｌ  Ａｓｓｉｓｔａｎｔ；ＰＤＡ）、ラップトップコンピュータ、携帯用マルチメディアプレーヤ（Ｐｏｒｔａｂｌｅ  Ｍｕｌｔｉｍｅｄｉａ  Ｐｌａｙｅｒ；ＰＭＰ）等のような携帯用端末機を用いて家庭や企業または特定サービス提供地域で無線でインターネットに接続することができるようにする技術である。
【０００３】
ＷＬＡＮ技術の標準化機構であるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｉｎｇ）８０２が１９８０年２月に設立された以来、多くの標準化作業が実行されている。
【０００４】
初期のＷＬＡＮ技術は、ＩＥＥＥ８０２．１１を介して２．４ＧＨｚ周波数を使用して周波数ホッピング、帯域拡散、赤外線通信などで１〜２Ｍｂｐｓの速度をサポートした以来、最近にはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）を適用して最大５４Ｍｂｐｓの速度をサポートすることができる。その他、ＩＥＥＥ８０２．１１ではＱｏＳ（Ｑｕａｌｉｔｙ  ｏｆ  Ｓｅｒｖｉｃｅ）の向上、アクセスポイント（Ａｃｃｅｓｓ  Ｐｏｉｎｔ）プロトコル互換、セキュリティ強化（Ｓｅｃｕｒｉｔｙ  Ｅｎｈａｎｃｅｍｅｎｔ）、無線リソース測定（Ｒａｄｉｏ  Ｒｅｓｏｕｒｃｅ  Ｍｅａｓｕｒｅｍｅｎｔ）、車両環境のための無線接続（Ｗｉｒｅｌｅｓｓ  Ａｃｃｅｓｓ  Ｖｅｈｉｃｕｌａｒ  Ｅｎｖｉｒｏｎｍｅｎｔ）、速いローミング（Ｆａｓｔ  Ｒｏａｍｉｎｇ）、メッシュネットワーク（Ｍｅｓｈ  Ｎｅｔｗｏｒｋ）、外部ネットワークとの相互作用（Ｉｎｔｅｒｗｏｒｋｉｎｇ  ｗｉｔｈ  Ｅｘｔｅｒｎａｌ  Ｎｅｔｗｏｒｋ）、無線ネットワーク管理（Ｗｉｒｅｌｅｓｓ  Ｎｅｔｗｏｒｋ  Ｍａｎａｇｅｍｅｎｔ）等、多様な技術の標準を実用化または開発中である。
【０００５】
また、無線ＬＡＮで脆弱点と指摘されてきた通信速度に対する限界を克服するために、比較的最近に制定された技術規格としてＩＥＥＥ８０２．１１ｎがある。ＩＥＥＥ８０２．１１ｎは、ネットワークの速度と信頼性を増加させ、無線ネットワークの運営距離を拡張することを目的にする。より具体的に、ＩＥＥＥ８０２．１１ｎではデータ処理速度が最大５４０Ｍｂｐｓ以上である高処理率（Ｈｉｇｈ  Ｔｈｒｏｕｇｈｐｕｔ；ＨＴ）をサポートし、また、送信エラーを最小化してデータ速度を最適化するために送信部と受信部の両方ともに多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づいている。また、この規格は、データ信頼性を高めるために、重複する写本を複数個送信するコーディング方式を使用するだけでなく、速度を増加させるために直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘ；ＯＦＤＭ）を使用することができる。
【０００６】
ＩＥＥＥ８０２．１１ｎ  ＨＴ（Ｈｉｇｈ  Ｔｈｒｏｕｇｈｐｕｔ）無線ＬＡＮシステムでは、レガシ（ｌｅｇａｃｙ）ステーション（Ｓｔａｔｉｏｎ；ＳＴＡ）をサポートするＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）フォーマット外にも、ＩＥＥＥ８０２．１１ｎをサポートするＨＴ  ＳＴＡのみで構成されたシステムで使われることができ、ＨＴ  ＳＴＡに効率的に設計されたＰＬＣＰフォーマットであるＨＴグリーンフィールド（ｇｒｅｅｎ  ｆｉｅｌｄ）ＰＬＣＰフォーマットを導入した。また、レガシＳＴＡとＨＴ  ＳＴＡが共存するシステムで、ＨＴシステムをサポートすることができるように設計されたＰＬＣＰフォーマットであるＨＴ混合（ｍｉｘｅｄ）ＰＬＣＰフォーマットをサポートする。
【０００７】
ＷＬＡＮの普及が活性化され、また、これを用いたアプリケーションが多様化されることによって、最近にはＩＥＥＥ８０２．１１ｎがサポートするデータ処理速度より高い処理率をサポートするための新たなＷＬＡＮシステムに対する必要性が台頭されている。超高処理率（Ｖｅｒｙ  Ｈｉｇｈ  Ｔｈｒｏｕｇｈｐｕｔ；ＶＨＴ）送信をサポートする次世代無線ＬＡＮシステムは、１Ｇｂｐｓ以上のデータ処理速度をサポートするために、最近に新たに提案されているＩＥＥＥ８０２．１１無線ＬＡＮシステムのうち一つである。
【０００８】
次世代無線ＬＡＮシステムの標準化を進行しているＩＥＥＥ８０２．１１ＴＧａｃでは、１Ｇｂｐｓ以上の処理率を提供するために、８×８ＭＩＭＯ及び８０ＭＨｚ、１６０ＭＨｚまたはその以上のチャネル帯域幅を使用する方案、及びレガシＳＴＡがＨＴ  ＳＴＡ及びＶＨＴ  ＳＴＡの共存する無線ＬＡＮシステムで効率的に各ＳＴＡをサポートするためのＰＬＣＰフォーマットに対する研究が進行されている。既存、無線ＬＡＮシステムでＶＨＴ  ＳＴＡのより広いチャネル帯域幅使用をサポートし、データを含むＰＰＤＵ（ＰＬＣＰ  Ｐｒｏｔｏｃｏｌ  Ｄａｔａ  Ｕｎｉｔ）を送信することができる方法とこれをサポートする無線装置に対する考慮が必要である。
【発明の概要】
【発明が解決しようとする課題】
【０００９】
本発明の技術的課題は、無線ＬＡＮシステムにおいて、既存の無線ＬＡＮシステムでサポートした周波数帯域幅より広い帯域幅を使用してデータを送信することができる方法、及びこれをサポートする装置を提供することである。
【課題を解決するための手段】
【００１０】
一態様において、無線ＬＡＮにおけるデータを送信する方法が提供される。前記方法は、ＭＡＣ（Ｍｅｄｉｕｍ  Ａｃｃｅｓｓ  Ｃｏｎｔｒｏｌ）ヘッダ（ｈｅａｄｅｒ）及びＭＳＤＵ（ＭＡＣ  Ｓｅｒｖｉｃｅ  Ｄａｔａ  Ｕｎｉｔ）を含むデータユニットを生成し、前記データユニットをエンコーディングし、エンコーディングされたデータユニットを生成し、前記エンコーディングされたデータユニットを分けて一つまたはその以上の空間ブロック（ｓｐａｔｉａｌ  ｂｌｏｃｋ）を生成し、前記一つまたはその以上の空間ブロックの各々を第１のブロック及び第２のブロックに分け、前記第１のブロック及び前記第２のブロックを各々インターリービング（ｉｎｔｅｒｌｅａｖｉｎｇ）し、第１のインターリービングされたブロック及び第２のインターリービングされたブロックを生成し、前記第１のインターリービングされたブロックを信号コンステレーション（ｓｉｇｎａｌ  ｃｏｎｓｔｅｌｌａｔｉｏｎ）にマッピング（ｍａｐｐｉｎｇ）し、第１のマッピングされたシーケンス（ｍａｐｐｅｄ  ｓｅｑｕｅｎｃｅ）を生成し、前記第２のインターリービングされたブロックを前記信号コンステレーションにマッピングし、第２のマッピングされたシーケンスを生成し、前記第１のマッピングされたシーケンス及び前記第２のマッピングされたシーケンスにＩＤＦＴ（Ｉｎｖｅｒｓｅ  Ｄｉｓｃｒｅｔｅ  Ｆｏｕｒｉｅｒ  Ｔｒａｎｓｆｏｒｍ）を実行して送信信号を生成し、及び前記送信信号を送信することを含む。
【００１１】
前記ＩＤＦＴを実行して前記データ信号を生成することは、前記データ信号が単一周波数帯域（ｓｉｎｇｌｅ  ｆｒｅｑｕｅｎｃｙ  ｂａｎｄ）を介して送信される場合、前記第１のマッピングされたシーケンスは、単一ＩＤＦＴの上位部分（ｕｐｐｅｒｐａｒｔ）にマッピングし、前記第２のマッピングされたシーケンスは、前記単一ＩＤＦＴの下位部分（ｌｏｗｅｒｐａｒｔ）にマッピングし、前記送信信号を生成することを含む。
【００１２】
前記ＩＤＦＴを実行して前記送信信号を生成することは、前記送信信号が二つの非連続周波数帯域を介して送信される場合、前記第１のマッピングされたシーケンス及び前記第２のマッピングされたシーケンスを区分されたＩＤＦＴ（ｓｅｐａｒａｔｅＩＤＦＴ）にマッピングさせて前記送信信号を生成することを含む。
【００１３】
前記単一周波数バンドの帯域幅は、１６０ＭＨｚである。
【００１４】
前記二つの非連続周波数帯域の帯域幅は、各々、８０ＭＨｚである。
【００１５】
前記データユニットは、ＢＣＣ（Ｂｉｎａｒｙ  Ｃｏｎｖｏｌｕｔｉｏｎ  Ｃｏｄｅ）エンコーディングによりエンコーディングされる。
【００１６】
他の態様において無線装置が提供される。前記無線装置は、プロセッサ（ｐｒｏｃｅｓｓｏｒ）、及び前記プロセッサと機能的に結合され、送信信号を送信及び受信するトランシーバ（ｔｒａｎｓｃｅｉｖｅｒ）を含む。前記プロセッサは、ＭＡＣ（Ｍｅｄｉｕｍ  Ａｃｃｅｓｓ  Ｃｏｎｔｒｏｌ）ヘッダ（ｈｅａｄｅｒ）及びＭＳＤＵ（ＭＡＣ  Ｓｅｒｖｉｃｅ  Ｄａｔａ  Ｕｎｉｔ）を含むデータユニットを生成し、前記データユニットをエンコーディングし、エンコーディングされたデータユニットを生成し、前記エンコーディングされたデータユニットを分けて一つ以上の空間ブロック（ｓｐａｔｉａｌ  ｂｌｏｃｋ）を生成し、前記一つ以上の空間ブロックの各々を第１のブロック及び第２のブロックに分け、前記第１のブロック及び前記第２のブロックを各々インターリービング（ｉｎｔｅｒｌｅａｖｉｎｇ）し、第１のインターリービングされたブロック及び第２のインターリービングされたブロックを生成し、前記第１のインターリービングされたブロックを信号コンステレーション（ｓｉｇｎａｌ  ｃｏｎｓｔｅｌｌａｔｉｏｎ）にマッピング（ｍａｐｐｉｎｇ）し、第１のマッピングされたシーケンス（ｍａｐｐｅｄ  ｓｅｑｕｅｎｃｅ）を生成し、前記第２のインターリービングされたブロックを前記信号コンステレーションにマッピングし、第２のマッピングされたシーケンスを生成し、前記第１のマッピングされたシーケンス及び前記第２のマッピングされたシーケンスにＩＤＦＴ（Ｉｎｖｅｒｓｅ  Ｄｉｓｃｒｅｔｅ  Ｆｏｕｒｉｅｒ  Ｔｒａｎｓｆｏｒｍ）を実行して送信信号を生成し、及び前記送信信号を送信するように設定される。
（項目１）
無線ＬＡＮにおけるデータを送信する方法において、
ＭＡＣ（Ｍｅｄｉｕｍ  Ａｃｃｅｓｓ  Ｃｏｎｔｒｏｌ）ヘッダ（ｈｅａｄｅｒ）及びＭＳＤＵ（ＭＡＣ  Ｓｅｒｖｉｃｅ  Ｄａｔａ  Ｕｎｉｔ）を含むデータユニットを生成し、
前記データユニットをエンコーディングし、エンコーディングされたデータユニットを生成し、
前記エンコーディングされたデータユニットを分けて一つ以上の空間ブロック（ｓｐａｔｉａｌ  ｂｌｏｃｋ）を生成し、
前記一つ以上の空間ブロックの各々を第１のブロック及び第２のブロックに分け、
前記第１のブロック及び前記第２のブロックを各々インターリービング（ｉｎｔｅｒｌｅａｖｉｎｇ）し、第１のインターリービングされたブロック及び第２のインターリービングされたブロックを生成し、
前記第１のインターリービングされたブロックを信号コンステレーション（ｓｉｇｎａｌ  ｃｏｎｓｔｅｌｌａｔｉｏｎ）にマッピング（ｍａｐｐｉｎｇ）し、第１のマッピングされたシーケンス（ｍａｐｐｅｄ  ｓｅｑｕｅｎｃｅ）を生成し、
前記第２のインターリービングされたブロックを前記信号コンステレーションにマッピングし、第２のマッピングされたシーケンスを生成し、
前記第１のマッピングされたシーケンス及び前記第２のマッピングされたシーケンスにＩＤＦＴ（Ｉｎｖｅｒｓｅ  Ｄｉｓｃｒｅｔｅ  Ｆｏｕｒｉｅｒ  Ｔｒａｎｓｆｏｒｍ）を実行して送信信号を生成し、及び、
前記送信信号を送信することを含む方法。
（項目２）
前記ＩＤＦＴを実行して前記データ信号を生成することは、
前記データ信号が単一周波数帯域（ｓｉｎｇｌｅ  ｆｒｅｑｕｅｎｃｙ  ｂａｎｄ）を介して送信される場合、前記第１のマッピングされたシーケンスは、単一ＩＤＦＴの上位部分（ｕｐｐｅｒ  ｐａｒｔ）にマッピングし、前記第２のマッピングされたシーケンスは、前記単一ＩＤＦＴの下位部分（ｌｏｗｅｒ  ｐａｒｔ）にマッピングし、前記送信信号を生成することを含む項目１に記載の方法。
（項目３）
前記ＩＤＦＴを実行して前記送信信号を生成することは、
前記送信信号が二つの非連続周波数帯域を介して送信される場合、前記第１のマッピングされたシーケンス及び前記第２のマッピングされたシーケンスを、区分されたＩＤＦＴ（ｓｅｐａｒａｔｅ  ＩＤＦＴ）にマッピングさせて前記送信信号を生成することを含む項目２に記載の方法。
（項目４）
前記単一周波数バンドの帯域幅は、１６０ＭＨｚであることを特徴とする項目３に記載の方法。
（項目５）
前記二つの非連続周波数帯域の帯域幅は、各々、８０ＭＨｚであることを特徴とする項目３に記載の方法。
（項目６）
前記データユニットは、ＢＣＣ（Ｂｉｎａｒｙ  Ｃｏｎｖｏｌｕｔｉｏｎ  Ｃｏｄｅ）エンコーディングによりエンコーディングされることを特徴とする項目２に記載の方法。
（項目７）
プロセッサ（ｐｒｏｃｅｓｓｏｒ）、及び
前記プロセッサと機能的に結合され、送信信号を送信及び受信するトランシーバ（ｔｒａｎｓｃｅｉｖｅｒ）を含み、
前記プロセッサは、
ＭＡＣ（Ｍｅｄｉｕｍ  Ａｃｃｅｓｓ  Ｃｏｎｔｒｏｌ）ヘッダ（ｈｅａｄｅｒ）及びＭＳＤＵ（ＭＡＣ  Ｓｅｒｖｉｃｅ  Ｄａｔａ  Ｕｎｉｔ）を含むデータユニットを生成し、
前記データユニットをエンコーディングし、エンコーディングされたデータユニットを生成し、
前記エンコーディングされたデータユニットを分けて一つ以上の空間ブロック（ｓｐａｔｉａｌ  ｂｌｏｃｋ）を生成し、
前記一つ以上の空間ブロックの各々を第１のブロック及び第２のブロックに分け、
前記第１のブロック及び前記第２のブロックを各々インターリービング（ｉｎｔｅｒｌｅａｖｉｎｇ）し、第１のインターリービングされたブロック及び第２のインターリービングされたブロックを生成し、
前記第１のインターリービングされたブロックを信号コンステレーション（ｓｉｇｎａｌ  ｃｏｎｓｔｅｌｌａｔｉｏｎ）にマッピング（ｍａｐｐｉｎｇ）し、第１のマッピングされたシーケンス（ｍａｐｐｅｄ  ｓｅｑｕｅｎｃｅ）を生成し、
前記第２のインターリービングされたブロックを前記信号コンステレーションにマッピングし、第２のマッピングされたシーケンスを生成し、
前記第１のマッピングされたシーケンス及び前記第２のマッピングされたシーケンスにＩＤＦＴ（Ｉｎｖｅｒｓｅ  Ｄｉｓｃｒｅｔｅ  Ｆｏｕｒｉｅｒ  Ｔｒａｎｓｆｏｒｍ）を実行して送信信号を生成し、及び
前記送信信号を送信するように設定されたことを特徴とする無線装置。
【発明の効果】
【００１７】
ＰＰＤＵ（ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）Ｐｒｏｔｏｃｏｌ  Ｄａｔａ  Ｕｎｉｔ）を送信する時、ＰＰＤＵを構成するデータフィールドを特定帯域幅送信が可能にセグメント化し、前記セグメント化されたデータフィールドを各々インターリービング（ｉｎｔｅｒｌｅａｖｉｎｇ）する手順を介して、既存帯域幅をサポートするインターリーバを介してより広い帯域幅を介する送信が可能である。
【００１８】
データフィールドがセグメント化されたデータブロックを周波数帯域に割り当てる時、ランダムに割り当てて周波数ダイバーシティ（ｆｒｅｑｕｅｎｃｙ  ｄｉｖｅｒｓｉｔｙ）を獲得することができ、ランダムにセグメント化して周波数ダイバーシティ利得をより高くすることができる。
【図面の簡単な説明】
【００１９】
【図１】ＩＥＥＥ８０２．１１の物理階層アーキテクチャを示す。
【図２】ＩＥＥＥ８０２．１１ｎ標準が適用された無線ＬＡＮシステムで使われるＰＰＤＵフォーマットの例を示すブロック図である。
【図３】本発明の実施例に適用されることができるブロックインターリービング適用の一例を示す。
【図４】チャネル階層によって適用される直交マッピング行列を示す。
【図５】２０ＭＨｚ及び４０ＭＨｚ帯域幅をサポートする時の周波数トーン割当を示す。図５の（ａ）は２０ＭＨｚの場合を示し、図５の（ｂ）は４０ＭＨｚの場合を示す。
【図６】次世代無線ＬＡＮシステムで使用するＰＰＤＵフォーマットの一例を示す。
【図７】本発明の実施例に係るデータフィールド送信方法を示す第１の例示ブロック図である。
【図８】本発明の実施例に係るデータフィールド送信方法を示す第２の例示ブロック図である。
【図９】本発明の実施例に係るデータ送信方法を示す。
【図１０】本発明の他の実施例に係るデータ送信方法を示す。
【図１１】本発明の他の実施例に係るデータ送信方法を示す。
【図１２】本発明の実施例に係るセグメントデータユニットをインターリービングし、チャネル帯域にマッピングする段階を示す。
【図１３】本発明の実施例に係るデータユニットセグメント化段階を示す。
【図１４】本発明の実施例が適用されることができる無線装置を示すブロック図である。
【発明を実施するための形態】
【００２０】
以下、図面を参照して本発明の具体的な実施例に対して説明する。
【００２１】
本発明の実施例が具現されるＷＬＡＮ（Ｗｉｒｅｌｅｓｓ  Ｌｏｃａｌ  Ａｒｅａ  Ｎｅｔｗｏｒｋ）システムは、少なくとも一つのＢＳＳ（Ｂａｓｉｃ  Ｓｅｒｖｉｃｅ  Ｓｅｔ）を含む。ＢＳＳは、互いに通信するために成功的に同期化されたステーション（ｓｔａｔｉｏｎ；ＳＴＡ）の集合である。ＢＳＳは、独立（Ｉｎｄｅｐｅｎｄｅｎｔ）ＢＳＳ（ＩＢＳＳ）とインフラストラクチャ（Ｉｎｆｒａｓｔｒｕｃｔｕｒｅ）ＢＳＳに分類することができる。
【００２２】
ＢＳＳは、少なくとも一つのＳＴＡとアクセスポイント（Ａｃｃｅｓｓ  Ｐｏｉｎｔ；ＡＰ）を含む。ＡＰは、ＢＳＳ内のＳＴＡに無線媒体（Ｗｉｒｅｌｅｓｓ  Ｍｅｄｉｕｍ）を介して連結を提供する機能媒体である。ＡＰは、集中制御器（ｃｅｎｔｒａｌｉｚｅｄ  ｃｏｎｔｒｏｌｌｅｒ）、ＢＳ（Ｂａｓｅ  Ｓｔａｔｉｏｎ）、スケジューラなどのような他の名称と呼ばれることもある。
【００２３】
ＳＴＡは、ＩＥＥＥ８０２．１１標準を充たすＭＡＣ（Ｍｅｄｉｕｍ  Ａｃｃｅｓｓ  Ｃｏｎｔｒｏｌ）及びＰＨＹ（ｗｉｒｅｌｅｓｓ−ｍｅｄｉｕｍ  ｐｈｙｓｉｃａｌ  ｌａｙｅｒ）インターフェースを含む任意の機能媒体である。ＳＴＡは、ＡＰまたはｎｏｎ−ＡＰ  ＳＴＡであるが、以下、別途に表示しない限り、ｎｏｎ−ＡＰ  ＳＴＡを意味する。
【００２４】
ＳＴＡは、ＶＨＴ（Ｖｅｒｙ  Ｈｉｇｈ  Ｔｈｒｏｕｇｈｐｕｔ）−ＳＴＡ、ＨＴ（Ｈｉｇｈ  Ｔｈｒｏｕｇｈｐｕｔ）−ＳＴＡ、及びＬ（Ｌｅｇａｃｙ）−ＳＴＡに区分されることができる。ＨＴ−ＳＴＡは、ＩＥＥＥ８０２．１１ｎをサポートするＳＴＡを意味し、Ｌ−ＳＴＡは、ＩＥＥＥ８０２．１１ｎの下位バージョン、例えば、ＩＥＥＥ８０２．１１ａ／ｂ／ｇをサポートするＳＴＡを意味する。Ｌ−ＳＴＡは、ｎｏｎ−ＨＴ  ＳＴＡと呼ばれることもある。
【００２５】
図１は、ＩＥＥＥ８０２．１１の物理階層アーキテクチャを示す。
【００２６】
ＩＥＥＥ８０２．１１の物理階層アーキテクチャ（ＰＨＹ  ａｒｃｈｉｔｅｃｔｕｒｅ）は、ＰＬＭＥ（ＰＨＹ  Ｌａｙｅｒ  Ｍａｎａｇｅｍｅｎｔ  Ｅｎｔｉｔｙ）、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）副階層１１０、ＰＭＤ（Ｐｈｙｓｉｃａｌ  Ｍｅｄｉｕｍ  Ｄｅｐｅｎｄｅｎｔ）副階層１００で構成される。ＰＬＭＥは、ＭＬＭＥ（ＭＡＣ  Ｌａｙｅｒ  Ｍａｎａｇｅｍｅｎｔ  Ｅｎｔｉｔｙ）と協調して物理階層の管理機能を提供する。ＰＬＣＰ副階層１１０は、ＭＡＣ副階層１２０とＰＭＤ副階層１００との間でＭＡＣ階層の指示によってＭＡＣ副階層１２０から受けたＭＰＤＵ（ＭＡＣ  Ｐｒｏｔｏｃｏｌ  Ｄａｔａ  Ｕｎｉｔ）を副階層に伝達したり、或いはＰＭＤ副階層１００から来るフレームをＭＡＣ副階層１２０に伝達する。ＰＭＤ副階層１００は、ＰＬＣＰの下位階層であり、無線媒体を介する二つのステーション間の物理階層エンティティ（ｅｎｔｉｔｙ）の送受信が可能にする。ＭＡＣ副階層１２０が伝達したＭＰＤＵは、ＰＬＣＰ副階層１１０でＰＳＤＵ（Ｐｈｙｓｉｃａｌ  Ｓｅｒｖｉｃｅ  Ｄａｔａ  Ｕｎｉｔ）と呼ぶ。ＭＰＤＵは、ＰＳＤＵと類似するが、複数のＭＰＤＵをアグリゲーション（ａｇｇｒｅｇａｔｉｏｎ）したＡ−ＭＰＤＵ（ａｇｇｒｅｇａｔｅｄ  ＭＰＤＵ）が伝達された場合、各々のＭＰＤＵとＰＳＤＵは互いに相違する。
【００２７】
ＰＬＣＰ副階層１１０は、ＰＳＤＵをＭＡＣ副階層１２０から受けてＰＭＤ副階層１００に伝達する過程で物理階層送受信機により必要な情報を含む付加フィールドを加える。この時、付加されるフィールドは、ＭＰＤＵに、ＰＬＣＰプリアンブル（ｐｒｅａｍｂｌｅ）、ＰＬＣＰヘッダ（ｈｅａｄｅｒ）、データフィールド上に必要なテールビット（Ｔａｉｌ  Ｂｉｔｓ）などになることができる。ＰＬＣＰプリアンブルは、ＰＳＤＵが送信される前に受信機に同期化機能とアンテナダイバーシティを準備するようにする役割をする。ＰＬＣＰヘッダには、フレームに対する情報を含むフィールドが含まれ、以後に図２を参照してより具体的に説明する。
【００２８】
ＰＬＣＰ副階層１１０では、ＰＳＤＵに前述したフィールドを付加してＰＰＤＵ（ＰＬＣＰ  Ｐｒｏｔｏｃｏｌ  Ｄａｔａ  Ｕｎｉｔ）を生成し、ＰＭＤ副階層を経て受信ステーションに送信し、受信ステーションは、ＰＰＤＵを受信し、ＰＬＣＰプリアンブル、ＰＬＣＰヘッダからデータ復元に必要な情報を得て復元する。
【００２９】
図２は、ＩＥＥＥ８０２．１１ｎ標準が適用された無線ＬＡＮシステムで使われるＰＰＤＵフォーマットの例を示すブロック図である。
【００３０】
図２を参照すると、ＩＥＥＥ８０２．１１ｎがサポートするＰＰＤＵは三つであることを知ることができる。
【００３１】
図２の（ａ）は、既存のＩＥＥＥ８０２．１１ａ／ｂ／ｇで使われたＰＰＤＵフォーマットを示す。従って、ＩＥＥＥ８０２．１１ｎ標準が適用された無線ＬＡＮシステムでＬ−ＳＴＡはこのようなフォーマットを有するＰＰＤＵを送受信することができる。
【００３２】
図２の（ａ）を参照すると、ＰＰＤＵ２１０は、Ｌ−ＳＴＦ２１１、Ｌ−ＬＴＦ２１２、Ｌ−ＳＩＧフィールド２１３、及びデータフィールド２１４を含む。
【００３３】
Ｌ−ＳＴＦ２１１は、フレームタイミング獲得（ｆｒａｍｅ  ｔｉｍｉｎｇ  ａｃｑｕｉｓｉｔｉｏｎ）、ＡＧＣ（Ａｕｔｏｍａｔｉｃ  Ｇａｉｎ  Ｃｏｎｔｒｏｌ）、粗い（ｃｏａｒｓｅ）周波数獲得などに使用する。
【００３４】
Ｌ−ＬＴＦ２１２は、周波数オフセット（ｆｒｅｑｕｅｎｃｙ  ｏｆｆｓｅｔ）及びチャネル推定に使用する。
【００３５】
Ｌ−ＳＩＧフィールド２１３は、データフィールド２１４を復調（ｄｅｍｏｄｕｌａｔｉｏｎ）及びデコーディング（ｄｅｃｏｄｉｎｇ）するための制御情報を含む。
【００３６】
Ｌ−ＰＰＤＵは、Ｌ−ＳＴＦフィールド２１１、Ｌ−ＬＴＦフィールド２１２、Ｌ−ＳＩＧフィールド２１３、及びデータフィールド２１４の順に送信される。
【００３７】
図２の（ｂ）は、Ｌ−ＳＴＡとＨＴ−ＳＴＡが共存することができるようにするＨＴ混合（ＨＴ−ｍｉｘｅｄ）ＰＰＤＵフォーマットのブロック図である。図２の（ｂ）を参照すると、ＰＰＤＵ２２０は、Ｌ−ＳＴＦ２２１、Ｌ−ＬＴＦ２２２、Ｌ−ＳＩＧ２２３、ＨＴ−ＳＩＧ２２４、ＨＴ−ＳＴＦ２２５、及び複数のＨＴ−ＬＴＦ２２６、及びデータフィールド２２７を含む。
【００３８】
Ｌ−ＳＴＦ２２１、Ｌ−ＬＴＦ２２２、及びＬ−ＳＩＧフィールド２２３は、図２の（ａ）と同様である。従って、Ｌ−ＳＴＡは、ＨＴ混合ＰＰＤＵ２２０を受信しても、Ｌ−ＳＴＦ２２１、Ｌ−ＬＴＦ２２２、及びＬ−ＳＩＧ２２３を介してデータフィールドを解釈することおができる。ただし、Ｌ−ＬＴＦフィールド２２２は、ＨＴ−ＳＴＡがＰＰＤＵ２２０を受信し、Ｌ−ＳＩＧフィールド２２３、ＨＴ−ＳＩＧ２２４、及びＨＴ−ＳＴＦ２２５を解釈するために実行するチャネル推定のための情報をさらに含むことができる。
【００３９】
ＨＴ−ＳＴＡは、Ｌ−ＳＩＧ２２３の以後にくるＨＴ−ＳＩＧ２２４を介してＨＴ混合ＰＰＤＵ２２０が自体のためのＰＰＤＵであることを知ることができ、これに基づいてデータフィールド２２７を復調してデコーディングすることができる。
【００４０】
ＨＴ−ＳＴＦ２２５は、ＨＴ−ＳＴＡのためフレームタイミング同期、ＡＧＣなどのために使われることができる。
【００４１】
ＨＴ−ＬＴＦ２２６は、データフィールド２２７の復調のためのチャネル推定に使われることができる。ＩＥＥＥ８０２．１１ｎは、ＳＵ−ＭＩＭＯをサポートするため、複数の空間ストリームに送信されるデータフィールドの各々に対してチャネル推定のためにＨＴ−ＬＴＦ２２６は複数で構成されることができる。
【００４２】
ＨＴ−ＬＴＦ２２６は、空間ストリームに対するチャネル推定のために使われるデータＨＴ−ＬＴＦとフルチャネルサウンディング（ｆｕｌｌ  ｃｈａｎｎｅｌ  ｓｏｕｎｄｉｎｇ）のために追加的に使われる拡張ＨＴ−ＬＴＦ（ｅｘｔｅｎｓｉｏｎ  ＨＴ−ＬＴＦ）で構成されることができる。従って、複数のＨＴ−ＬＴＦ２２６は、送信される空間ストリームの個数と同じ、或いは多い。
【００４３】
Ｌ−ＳＴＡもＨＴ混合ＰＰＤＵ２２０を受信してデータを獲得することができるように、Ｌ−ＳＴＦ２２１、Ｌ−ＬＴＦ２２２、及びＬ−ＳＩＧフィールド２２３が先に送信される。以後、ＨＴ−ＳＴＡのために送信されるデータの復調及びデコーディングのためにＨＴ−ＳＩＧフィールド２２４が送信される。
【００４４】
ＨＴ−ＳＩＧフィールド２２４まではビーム形成が適用されずに送信され、Ｌ−ＳＴＡ及びＨＴ−ＳＴＡが該当ＰＰＤＵを受信してデータを獲得することができるようにし、以後に送信されるＨＴ−ＳＴＦ２２５、ＨＴ−ＬＴＦ２２６、及びデータフィールド２２７は、プリコーディングが適用されて無線信号として送信される。ここで、プリコーディングされた無線信号を受信するＳＴＡがプリコーディングによる電力が可変される部分を考慮することができるように、ＨＴ−ＳＴＦ２２５が送信され、以後にＨＴ−ＬＴＦ２２６及びデータフィールド２２７が送信される。
【００４５】
ＨＴ無線ＬＡＮシステムで２０ＭＨｚを使用するＨＴ−ＳＴＡがＯＦＤＭシンボル当たり５２個のデータ副搬送波を使用するとしても、同じ２０ＭＨｚを使用するＬ−ＳＴＡは、相変らずＯＦＤＭシンボル当たり４８個のデータ副搬送波を使用する。既存システムと互換（ｂａｃｋｗａｒｄ  ｃｏｍｐａｔｉｂｉｌｉｔｙ）をサポートするために、ＨＴ混合ＰＰＤＵ２２０フォーマットでＨＴ−ＳＩＧフィールド２２４は、Ｌ−ＬＴＦ２２２を用いてデコーディングされるため、ＨＴ−ＳＩＧフィールド２２４は、４８×２個のデータ副搬送波で構成される。以後、ＨＴ−ＳＴＦ２２５、ＨＴ−ＬＴＦ２２６は、ＯＦＤＭシンボル当たり５２個のデータ副搬送波で構成される。その結果、ＨＴ−ＳＩＧフィールド２２４は１／２、ＢＰＳＫ（Ｂｉｎａｒｙ  Ｐｈａｓｅ  Ｓｈｉｆｔ  Ｋｅｙｉｎｇ）でサポートされるため、各ＨＴ−ＳＩＧフィールド２２４は２４ビットで構成され、総４８ビットに送信される。即ち、Ｌ−ＳＩＧフィールド２２３とＨＴ−ＳＩＧフィールド２２４のためのチャネル推定は、Ｌ−ＬＴＦ２２２を用い、Ｌ−ＬＴＦ２２２を構成するビット列は、下記数式１のように表現される。Ｌ−ＬＴＦ２２２は、一シンボル当たりＤＣ副搬送波を除いた４８個のデータ副搬送波で構成される。
【００４６】
【数１】
0005890781.tif 000002
図２の（ｃ）は、ＨＴ−ＳＴＡのみが使用することができるＨＴ−Ｇｒｅｅｎｆｉｅｌｄ  ＰＰＤＵフォーマットを示すブロック図である。図２の（ｃ）を参照すると、ＰＰＤＵ２３０は、ＨＴ−ＧＦ−ＳＴＦフィールド２３１、ＨＴ−ＬＴＦ１フィールド２３２、ＨＴ−ＳＩＧフィールド２３３、複数のＨＴ−ＬＴＦ２フィールド２３４、及びデータフィールド２３５を含む。
【００４７】
ＨＴ−ＧＦ−ＳＴＦフィールド２３１は、フレームタイミング獲得及びＡＧＣのために使われる。
【００４８】
ＨＴ−ＧＦ−ＬＴＦ１フィールド２３２は、チャネル推定のために使われる。
【００４９】
ＨＴ−ＳＩＧフィールド２３３は、データフィールド２３５の復調及びデコーディングのために使われる。
【００５０】
ＨＴ−ＬＴＦ２フィールド２３４は、データフィールド２３５の復調のためのチャネル推定に使われる。同様に、ＨＴ−ＳＴＡは、ＳＵ−ＭＩＭＯを使用するため、複数の空間ストリームに送信されるデータフィールドの各々に対してチャネル推定を要するため、ＨＴ−ＬＴＦ２フィールド２３４は、複数で構成されることができる。
【００５１】
複数のＨＴ−ＬＴＦ２フィールド２３４は、ＨＴ混合ＰＰＤＵ２２０のＨＴ−ＬＴＦ２２６と同様に、複数のデータＨＴ−ＬＴＦと複数の拡張ＨＴ−ＬＴＦで構成されることができる。
【００５２】
図２の（ａ）、（ｂ）、及び（ｃ）に示す各々のデータフィールド２１４、２２７、２３５は、各々、サービス（ｓｅｒｖｉｃｅ）フィールド、スクランブルされたＰＳＤＵ、テールビット、及びパディングビットを含むことができる。
【００５３】
前記のようなＨＴ無線ＬＡＮシステムでＰＰＤＵを構成するＨＴ−ＳＩＧフィールドは、ＨＴ−ＳＩＧフィールドを構成するビットシーケンスをエンコーディングし、エンコーディングされたＨＴ−ＳＩＧフィールドをインターリービングし、変調（ｍｏｄｕｌａｔｉｏｎ）及び周波数ドメイン（ｆｒｅｑｕｅｎｃｙ  ｄｏｍａｉｎ）で構成された送信対象信号をタイムドメイン（ｔｉｍｅ  ｄｏｍａｉｎ）にマッピングさせるＩＤＦＴ（Ｉｎｖｅｒｓｅ  Ｄｉｓｃｒｅｔｅ  Ｆｏｕｒｉｅｒ  Ｔｒａｎｓｆｏｒｍ）を介して送信信号を生成し、ＣＳＤ（Ｃｙｃｌｉｃ  ｓｈｉｆｔ  ｄｉｖｅｒｓｉｔｙ）の加重値を各アンテナ単位に適用した後、ＧＩ（Ｇｕａｒｄ  Ｉｎｔｅｒｖａｌ）を挿入し、ＲＦユニットを介して送信信号を送信する方式に送信されることができる。
【００５４】
また、ＨＴ無線ＬＡＮシステムでＰＰＤＵを構成するデータフィールドを送信する過程は、まず、データフィールドを構成するビットシーケンスをスクランブリング（ｓｃｒａｍｂｌｉｎｇ）し、これをエンコーディングした後、空間ストリームにパーシング（ｐａｒｓｉｎｇ）し、各空間ストリームに割り当てられたデータシーケンスをインターリービングし、信号コンステレーション（ｓｉｇｎａｌ  ｃｏｎｓｔｅｌｌａｔｉｏｎ）マップにマッピングし、マッピングされたシーケンスである複素シーケンスを生成する。ＨＴ無線ＬＡＮシステムでエンコーディング技法にＢＣＣエンコーディングを使用した場合、エンコーディングされたビット列は、ブロックインターリーバ（ｂｌｏｃｋ  ｉｎｔｅｒｌｅａｖｅｒ）を介してインターリービングが行われる。インターリーバは、インターリーバブロックの列（ＮＣＯＬ）と行（ＮＲＯＷ）の大きさを、定義された値によって使用する。定義された値は、下記表１の通りである。
【００５５】
【表１】
0005890781.tif 000003
ここで、ＮＢＰＳＣＳ（ｉＳＳ）は、各空間ストリームにおいて一つの搬送波当たりコード化されたビットの数を示す（ただ、ｉＳＳ＝１〜ＮＳＳの整数である）。前記のようなインターリーバを使用する方法は、行に沿ってコード化されたビット列を入力し、これを列に沿って読み取ることである。これはブロックインターリービングを使用する方法を示す図面である図３を参照することができる。
【００５６】
以後、各空間ストリームに対して生成された複素シーケンスは、空間−時間ブロックコード化（Ｓｐａｃｅ−ｔｉｍｅ  ｂｌｏｃｋ  ｃｏｄｉｎｇ）を介して時空間ストリーム（Ｓｐａｃｅ  ｔｉｍｅ  ｓｔｒｅａｍ）に対する信号を構成するようになり、各アンテナに対して空間マッピング（ｓｐａｔｉａｌ  ｍａｐｐｉｎｇ）後、ＩＤＦＴ、ＧＩ挿入後にＲＦユニットを介して送信することによって実行されることができる。ここで、空間マッピングは、ＭＩＭＯ（Ｍｕｌｔｉｐｌｅ  Ｉｎｐｕｔ  Ｍｕｌｔｉｐｌｅ  Ｏｕｔｐｕｔ）送信のためのビーム形成段階を含んで実行されることができる。
【００５７】
ここで、ＨＴ−ＳＩＧフィールドは、一つの空間ストリームを介して送信され、データフィールドは、ＭＩＭＯ送信に基づいて少なくとも一つ以上の空間ストリームを介して送信されることができる。
【００５８】
前記のようにＨＴをサポートする無線ＬＡＮシステムでＭＩＭＯ使用のためのチャネル推定のためにＨＴ−ＬＴＦを定義した。ＨＴ−ＬＴＦは、Ｌ−ＬＴＦのようにチャネル推定のために使われるが、ＭＩＭＯチャネルを推定することができるようになっているという点が異なる。ＨＴ−ＬＴＦを使用してＭＩＭＯチャネルを推定するためにＨＴ−ＬＴＦに直交マッピングマトリックスＰＨＴＬＴＦをかけて使用する。ＰＨＴＬＴＦは、１と−１で構成されており、下記数式２のように示すことができる。
【００５９】
【数２】
0005890781.tif 000004
ここで、チャネル階層（ｌａｙｅｒ）によって直交マッピング行列を異なる大きさに適用するようになり、これは図４を参照する。
【００６０】
図４は、チャネル階層によって適用される直交マッピング行列を示す。
【００６１】
図４を参照すると、トレーニングシンボルは、空間ストリーム単位に定義され、各空間ストリームのチャネル推定のために送信される。空間ストリームの個数が１、２、４個の場合には、各々、１、２、４個のＨＴ−ＬＴＦが送信されるが、空間ストリームの個数が３個の場合には、一つの追加の長いトレーニングシンボル（ｅｘｔｒａ  ｌｏｎｇ  ｔｒａｉｎｉｎｇ  ｓｙｍｂｏｌ）を使用することによって４個のＨＴ−ＬＴＦが使われることができる。
【００６２】
図５は、２０ＭＨｚ及び４０ＭＨｚ帯域幅をサポートする時の周波数トーン割当を示す。図５の（ａ）は２０ＭＨｚの場合を示し、図５の（ｂ）は４０ＭＨｚの場合を示す。
【００６３】
図５の（ａ）を参照すると、２０ＭＨｚ帯域幅送信をサポートする場合、０番目のトーンはＤＣのために使われる。トーンインデックス［−２１，−７，７，２１］はパイロット（ｐｉｌｏｔ）のために使われ、残りのトーンはデータのために使われる。
【００６４】
図５の（ｂ）を参照すると、４０ＭＨｚ帯域幅送信をサポートする場合、−１、０、１番目のトーンはＤＣのために使われる。トーンインデックス［−５３，−２５，−１１，１１，２５，５３］はパイロット（ｐｉｌｏｔ）に使われ、チャネル周波数オフセット測定のために使われる。また、残りのトーンはデータを送るトーンに使われる。
【００６５】
ＨＴをサポートするＩＥＥＥ８０２．１１ｎ標準とは違って次世代無線ＬＡＮシステムではより高い処理率を要求する。これをＨＴとは違って、ＶＨＴ（Ｖｅｒｙ  Ｈｉｇｈ  Ｔｈｒｏｕｇｈｐｕｔ）といい、このために次世代無線ＬＡＮシステムでは８０ＭＨｚ、連続的な１６０ＭＨｚ（ｃｏｎｔｉｇｕｏｕｓ  １６０ＭＨｚ）、非連続的な１６０ＭＨｚ（ｎｏｎ−ｃｏｎｔｉｇｕｏｕｓ  １６０ＭＨｚ）帯域幅送信及び／またはその以上の帯域幅送信をサポートしようとする。また、より高い処理率のためにＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）送信方法を提供する。以下、次世代無線ＬＡＮシステムで提供するＶＨＴをサポートする無線ＬＡＮシステムのＰＰＤＵフォーマットを参照し、これに対してより詳細に説明する。
【００６６】
図６は、次世代無線ＬＡＮシステムで使われるＰＰＤＵフォーマットの一例を示す。
【００６７】
図６を参照すると、ＰＰＤＵ６００は、Ｌ−ＳＴＦ６１０、Ｌ−ＬＴＦ６２０、Ｌ−ＳＩＧフィールド６３０、ＶＨＴ−ＳＩＧＡフィールド６４０、ＶＨＴ−ＳＴＦ６５０、ＶＨＴ−ＬＴＦ６６０、ＶＨＴ−ＳＩＧＢ６７０、及びデータフィールド６８０を含むことができる。
【００６８】
ＰＬＣＰ副階層では、ＭＡＣヘッダとＭＳＤＵ（ＭＡＣ  Ｓｅｒｖｉｃｅ  Ｄａｔａ  Ｕｎｉｔ）を含むＭＰＤＵ（ＭＡＣ  Ｐｒｏｔｏｃｏｌ  Ｄａｔａ  Ｕｎｉｔ）がＭＡＣ階層から伝達されたＰＳＤＵ（ＰＬＣＰ  Ｓｅｒｖｉｃｅ  Ｄａｔａ  Ｕｎｉｔ）に、サービスフィールド、テールフィールド、及び必要時パディングビットを加えてデータフィールド６８０を生成する。また、データフィールド６８０に、Ｌ−ＳＴＦ６１０、Ｌ−ＬＴＦ６２０、Ｌ−ＳＩＧフィールド６３０、ＶＨＴ−ＳＩＧＡフィールド６４０、ＶＨＴ−ＳＴＦ６５０、ＶＨＴ−ＬＴＦ６６０、ＶＨＴ−ＳＩＧＢ６７０などのフィールドを加えてＰＰＤＵ６００を生成し、ＰＭＤ階層を介して一つまたはその以上のＳＴＡに送信する。
【００６９】
Ｌ−ＳＴＦ６１０は、フレームタイミング獲得（ｆｒａｍｅ  ｔｉｍｉｎｇ  ａｃｑｕｉｓｉｔｉｏｎ）、ＡＧＣ（Ａｕｔｏｍａｔｉｃ  Ｇａｉｎ  Ｃｏｎｔｒｏｌ）、粗い（ｃｏａｒｓｅ）周波数獲得などに使用する。
【００７０】
Ｌ−ＬＴＦ６２０は、Ｌ−ＳＩＧフィールド６３０及びＶＨＴ−ＳＩＧＡフィールド６４０の復調のためのチャネル推定に使用する。
【００７１】
ＶＨＴ−ＳＩＧＡフィールド６４０は、ＭＵ−ＭＩＭＯ送信を使用するＳＴＡがＰＰＤＵの受信時に必要な共通の情報を含む。即ち、次世代無線ＬＡＮで使われるＰＰＤＵ６００を解釈するための情報を含んでいる。ＶＨＴ−ＳＩＧＡフィールド６４０は、各ＳＴＡに対する空間ストリームに対する情報、チャネル帯域幅情報、ＳＴＢＣ、グループ識別子（Ｇｒｏｕｐ  Ｉｄｅｎｔｉｆｉｅｒ）、各グループ識別子の割当を受けたＳＴＡに対する情報、短いＧＩ（Ｇｕａｒｄ  Ｉｎｔｅｒｖａｌ）、ビーム形成情報（ＳＵ−ＭＩＭＯか、ＭＵ−ＭＩＭＯかを含む）を含む。
【００７２】
ＶＨＴ−ＳＴＦ６５０は、ＭＩＭＯ送信においてＡＧＣ推定の性能を改善するために使われる。
【００７３】
ＶＨＴ−ＬＴＦ６６０は、ＶＨＴ−ＳＴＡがＭＩＭＯチャネルを推定するために使われる。次世代無線ＬＡＮシステムは、ＭＵ−ＭＩＭＯをサポートするため、ＶＨＴ−ＬＴＦ６６０は、ＰＰＤＵ６００の送信において空間ストリームの個数ほど設定されることができる。追加的に、フルチャネルサウンディング（ｆｕｌｌ  ｃｈａｎｎｅｌ  ｓｏｕｎｄｉｎｇ）がサポートされ、これが実行される場合、ＶＨＴ−ＬＴＦ６６０の数はより多くなることができる。
【００７４】
ＶＨＴ−ＳＩＧＢフィールド６７０は、各ＳＴＡに対する個別的な情報を含む。ＶＨＴ−ＳＩＧＢフィールド６７０は、各ＳＴＡのコーディングタイプ（ｃｏｄｉｎｇ  ｔｙｐｅ）、ＭＣＳに対する情報を含む。ＶＨＴ−ＳＩＧＢフィールド６７０の大きさは、ＭＩＭＯ送信の類型（ＭＵ−ＭＩＭＯまたはＳＵ−ＭＩＭＯ）及びＰＰＤＵ送信のために使用するチャネル帯域幅によって異なる。
【００７５】
次世代無線ＬＡＮシステムでは前記のようなＰＰＤＵフォーマットを使われ、８０ＭＨｚ、連続的な１６０ＭＨｚ及び／または非連続１６０ＭＨｚ（８０ＭＨｚ＋８０ＭＨｚ）の帯域幅がサポートされる。このために新たなコーディングチェーン（ｃｏｄｉｎｇ  ｃｈａｉｎ）が定義されなければならない。特に、連続的な周波数帯域を使用して１６０ＭＨｚ送信をする場合と、非連続的な周波数帯域の１６０ＭＨｚ送信をする場合の送信手順は互いに異なるように定義されなければならない。以下、このためのデータ送信方法を提案する。以下、データユニットは、次世代無線ＬＡＮシステムで使われることができるＰＰＤＵフォーマットにおいてデータフィールドを構成するビットシーケンスの概念を含む。
【００７６】
図７は、本発明の実施例に係るデータフィールド送信方法を示す第１の例示ブロック図である。図７は、次世代無線ＬＡＮシステムで連続的な１６０ＭＨｚ帯域幅を使用したデータ送信方法の一例として適用されることができ、より一般的な帯域幅を使用するデータ送信方法にも適用されることができる。
【００７７】
図７を参照すると、本発明の実施例に係るデータ送信方法は、まず、データユニットをエンコーディングする（Ｓ７１０）。この時、データユニットは、少なくとも一つ以上のエンコーダによりエンコーディングすることができる。複数個のエンコーダによりエンコーディングされる場合、エンコーダパーサ（ｅｎｃｏｄｅｒ  ｐａｒｓｅｒ）により特定ビットサイズを有するビットシーケンスが各々のエンコーダに割り当てられ、各々のエンコーダによりエンコーディングされることができる。この時、エンコーダ方式は、ＢＣＣ（Ｂｉｎａｒｙ  Ｃｏｎｖｏｌｕｔｉｏｎ  Ｃｏｄｅ）エンコーディング方式である。エンコーダパーサに入力されるデータユニットは、ＰＰＤＵのデータフィールドを構成するビットシーケンスがスクランブリングされた状態である。
【００７８】
少なくとも一つ以上のエンコーダによりエンコーディングされたデータユニットは、ストリームパーサ（ｓｔｒｅａｍ  ｐａｒｓｅｒ）により複数個の空間ストリームに分けられる（Ｓ７２０）。この時、各空間ストリームに分けられたエンコーディングされたデータユニットを空間ブロック（ｓｐａｔｉａｌ  ｂｌｏｃｋ）と呼ぶ。空間ブロックの個数は、ＰＰＤＵの送信に使われる空間ストリームの個数により決定されることができ、空間ストリームの個数と同じに設定されることができる。
【００７９】
各々の空間ブロックは、セグメントパーサ（ｓｅｇｍｅｎｔ  ｐａｒｓｅｒ）により少なくとも一つ以上のデータセグメントに分けられる（Ｓ７３０）。これは図７に示す一例のように、第１のデータセグメント及び第２のデータセグメントの二つに分けられることができる。本発明の実施例でデータユニットが１６０ＭＨｚ送信に適するように生成された場合、セグメントパーサにより分けられた第１のデータセグメント及び第２のデータセグメントは、各々、８０ＭＨｚ送信に適するように分けられる。従って、第１のデータセグメント及び第２のデータセグメントは、８０ＭＨｚデータシーケンスをサポートするインターリーバによりインターリービングされることができる。
【００８０】
第１のデータセグメント及び第２のデータセグメントは、各々、インターリーバによりインターリービングされる（Ｓ７４０）。この場合、インターリーバは、ブロックインターリービングを実行することができ、より詳しくは、ＢＣＣエンコーディングが適用された第１のデータセグメント及び／または第２のデータセグメントをインターリービングするためのＢＣＣエンコーダである。インターリーバは、インターリーバブロックの列（ＮＣＯＬ）と行（ＮＲＯＷ）の大きさを、定義された値によって使用する。定義された値は、下記表２の通りである。
【００８１】
【表２】
0005890781.tif 000005
ここで、ＮＢＰＳＣＳは、各空間ストリームにおいて一つの搬送波当たりコード化されたビットの数を示す。前記のようなインターリーバを使用する方法は、行に沿ってコード化されたビット列を入力し、これを列に沿って読み取ることである。または、その反対が適用されることができる。このようなブロックインターリービングは、前述した図３を参照することができる。
【００８２】
また、図７を参照すると、インターリービングされた第１のデータセグメント及びインターリービングされた第２のデータセグメントがコンステレーションマッパ（ｃｏｎｓｔｅｌｌａｔｉｏｎ  ｍａｐｐｅｒ）によってコンステレーションマップに基づいてマッピングされ、マッピングされた第１のデータセグメント及びマッピングされた第２のデータセグメントが生成される（Ｓ７５０）。この時、マッピングされた第１のデータセグメント及びマッピングされた第２のデータセグメントは、複素数シーケンスの形態を有することができる。この時、インターリービングされた第１のデータセグメント及びインターリービングされた第２のデータセグメントは、ＢＰＳＫ、ＱＰＳＫ、１６ＱＡＭ、６４ＱＡＭまたは２５６−ＱＡＭなど、変調方式によって異なるコンステレーションマップが適用されることができる。
【００８３】
マッピングされた第１のデータセグメント及びマッピングされた第２のデータセグメントは、空間−時間ブロックコード化（Ｓｐａｃｅ−ｔｉｍｅ  ｂｌｏｃｋ  ｃｏｄｉｎｇ）を介して時空間ストリーム（Ｓｐａｃｅ  ｔｉｍｅ  ｓｔｒｅａｍ）に対する信号を構成するようになり、各アンテナに対して空間マッピング（ｓｐａｔｉａｌ  ｍａｐｐｉｎｇ）される（Ｓ７６０）。
【００８４】
マッピングされた第１のデータセグメント及びマッピングされた第２のデータセグメントは、ＩＤＦＴを実行して変換され（Ｓ７７０）、ここにＧＩが挿入されることによって送信信号に変換される（Ｓ７８０）。変換された送信信号は、各々、ＲＦを介して送信される（Ｓ７９０）。この時、ＰＰＤＵ送信のための送信チャネルの帯域幅が連続的な１６０ＭＨｚの周波数帯域を介して送信される場合、マッピングされた第１のデータセグメント及びマッピングされた第２のデータセグメントは、一つのＩＤＦＴを実行して変換され、この時、マッピングされた第１のデータセグメントはＩＤＦＴの上位部分にマッピングされて変換され、マッピングされた第２のデータセグメントはＩＤＦＴの下位部分にマッピングされて変換されることができる。
【００８５】
図７は、ＰＰＤＵが連続的な周波数帯域からなる送信チャネルを介して送信される場合のデータ送信方法の一例を示すが、非連続的な周波数帯域からなる送信チャネルを介して送信される場合の送信方法は変わることができる。これは図８を参照して説明する。
【００８６】
図８は、本発明の実施例に係るデータフィールド送信方法を示す第２の例示ブロック図である。図８は、次世代無線ＬＡＮシステムで非連続的な１６０ＭＨｚ、即ち、８０ＭＨｚ＋８０ＭＨｚで構成された総１６０ＭＨｚ帯域幅を使用したデータ送信方法の一例として適用されることができ、非連続的な特性を有する一般的な帯域幅を使用したデータ送信方法にも適用されることができる。
【００８７】
図８を参照すると、本発明によるデータ送信方法の第２の例示は、データユニットをエンコーディングし（Ｓ８１０）、エンコーディングされたデータユニットをストリームパーサを介して空間ストリームに対して分けて空間ブロックを生成し（Ｓ８２０）、空間ブロックをセグメントパーサを介して第１のデータセグメント及び第２のデータセグメントに分け（Ｓ８３０）、第１のデータセグメント及び第２のデータセグメントを各々インターリービングし（Ｓ８４０）、インターリービングされた第１のデータセグメント及びインターリービングされた第２のデータセグメントをコンステレーションマッパに基づいてマッピングし、マッピングされた第１のデータセグメント及びマッピングされた第２のデータセグメントを生成し（Ｓ８５０）、及びマッピングされた第１のデータセグメント及びマッピングされた第２のデータセグメントを空間マッピングすること（Ｓ８６０）を含み、これは図７のＳ７１０乃至Ｓ７６０の各段階と同様である。従って、これに対する詳細な説明は省略する。
【００８８】
マッピングされた第１のデータセグメント及びマッピングされた第２のデータセグメントは、ＩＤＦＴを実行して変換され（Ｓ８７０）、ここにＧＩが挿入されることによって送信信号に変換される（Ｓ８８０）。変換された送信信号は、各々、ＲＦを介して送信される（Ｓ８９０）。この時、ＰＰＤＵ送信のための送信チャネルの帯域幅が非連続的な１６０ＭＨｚの送信チャネルを構成する８０ＭＨｚ周波数帯域及び８０ＭＨｚ周波数帯域を介して送信される場合、マッピングされた第１のデータセグメント及びマッピングされた第２のデータセグメントは、各々異なるＩＤＦＴを実行して変換され、この時、マッピングされた第１のデータセグメントは、８０ＭＨｚ周波数帯域部分に対するＩＤＦＴの上位部分にマッピングされて変換され、マッピングされた第２のデータセグメントは、ＩＤＦＴの下位部分にマッピングされて変換されることができる。
【００８９】
図７及び図８に示すデータ送信方法のように、送信チャネルの帯域幅によって送信するデータユニットをセグメント化（ｓｅｇｍｅｎｔｉｎｇ）して送信する方法が提案されることができる。この場合、データユニットをセグメント化することは、多様な具体的な方法が提示されることができる。また、セグメント化されたデータセグメントを多様な方法に周波数帯域にマッピングさせて送信することができる。以下、図面を参照して説明する。以下、本発明の実施例は、説明の便宜のために、８０ＭＨｚ帯域幅を使用する場合を例示して詳細に説明する。ただし、本実施例は、８０ＭＨｚ帯域幅だけでなく、２０ＭＨｚ、４０ＭＨｚ、８０ＭＨｚ、連続的な１６０ＭＨｚ、非連続的な１６０ＭＨｚ、及びそれより広い帯域幅を介してデータを送信する場合にも適用されることができる。例えば、以下の実施例には、連続的な１６０ＭＨｚ送信または非連続的な８０ＭＨｚ＋８０ＭＨｚ送信をする場合、８０ＭＨｚ送信をサポートするインターリーバを使用する場合にも適するように適用されることができる。
【００９０】
図９は、本発明の実施例に係るデータ送信方法を示す。
【００９１】
図９を参照すると、ＭＡＣ階層は、送信しようとするデータを含むＭＳＤＵ（ＭＡＣ  Ｓｅｒｖｉｃｅ  Ｄａｔａ  Ｕｎｉｔ）にＭＡＣヘッダ（ｈｅａｄｅｒ）とＦＣＳを付けてＭＰＤＵを生成し、これをＰＨＹ階層に伝達する（Ｓ９１０）。ＭＰＤＵは、ＰＨＹ階層でＰＳＤＵと呼ばれる。ＰＨＹ階層は、ＭＡＣから伝達を受けたＰＳＤＵに、データ獲得のための必要な情報を含む一つ以上のフィールドを加えてデータユニットを生成する（Ｓ９２０）。ここで、データユニットは、ＡＰ及び／またはＳＴＡが送信するＰＰＤＵに含まれたデータフィールドである。
【００９２】
ＰＨＹ階層ではデータユニットをセグメント化する（Ｓ９３０）。セグメント化することは、図７及び図８で示すセグメント化パーシング手順のように実行されることができる。本実施例では４０ＭＨｚ帯域幅をサポートするインターリーバが使われるため、データユニットを４０ＭＨｚ送信が可能な大きさにセグメント化する。ただし、２０ＭＨｚ帯域幅、８０Ｈｚ帯域幅またはその以上の帯域幅をサポートするインターリーバを使用したり、或いは異なる帯域幅をサポートするインターリーバを使用する場合、該当帯域幅大きさに送信可能にセグメント化することができる。
【００９３】
セグメント化された各々のセグメントデータユニットは、各々のインターリーバによりインターリービングされる（Ｓ９４０）。インターリービング段階は、図７及び図８に示すインターリービング段階と同様に実行されることができる。
【００９４】
インターリービングされたセグメントデータユニットは、チャネル帯域にマッピング（ｍａｐｐｉｎｇ）される（Ｓ９５０）。インターリービングされたセグメントデータユニットをチャネル帯域にマッピングする過程で、各々のインターリービングされたセグメントデータユニットを周波数帯域に分けてマッピングすることができる。即ち、一つのセグメントデータユニットを半分に分け、二つのデータユニットが連続しないチャネル帯域に割り当てられるようにマッピングすることができる。連続しないチャネル帯域に割り当てることによって周波数ダイバーシティ（ｆｒｅｑｕｅｎｃｙ  ｄｉｖｅｒｓｉｔｙ）を得ることができる。インターリービングされたセグメントデータユニットをチャネル帯域に割り当てた後、ＩＤＦＴを実行し、これを送信する。
【００９５】
前記のような方法を実行する場合、８０ＭＨｚ帯域幅を使用して送信する場合、４０ＭＨｚ帯域幅をサポートするインターリーバを使用することができ、より広い帯域幅である８０ＭＨｚ帯域幅をサポートするインターリーバを新たに定義する必要がない。本実施例によると、４０ＭＨｚをサポートするインターリーバを二つ定義して具現するが、４０ＭＨｚをサポートするインターリーバ一個をセグメントデータユニット個数ほど使用することによって具現することができる。
【００９６】
図１０は、本発明の他の実施例に係るデータ送信方法を示す。
【００９７】
図１０を参照すると、ＭＡＣ階層は、送信しようとするデータを含むＭＳＤＵにＭＡＣヘッダ（ｈｅａｄｅｒ）とＦＣＳを付けてＭＰＤＵを生成し、これをＰＨＹ階層に伝達する（Ｓ１０１０）。ＭＰＤＵは、ＰＨＹ階層でＰＳＤＵと呼ばれる。ＰＨＹ階層は、ＭＡＣから伝達を受けたＰＳＤＵに、データ獲得のために必要な情報を含む一つ以上のフィールドを加えてデータユニットを生成する（Ｓ１０２０）。ここで、データユニットは、ＡＰ及び／またはＳＴＡが送信するＰＰＤＵに含まれたデータフィールドである。
【００９８】
ＰＨＹ階層は、データユニットをセグメント化する以前に受信したデータユニットを構成するビットシーケンスをエンコーディングする（Ｓ１０３０）。
【００９９】
ＰＨＹ階層ではエンコーディングされたデータユニットをセグメント化する（Ｓ１０４０）。セグメント化することは、図９のセグメント化段階のように４０ＭＨｚ帯域幅をサポートするインターリーバが使われるため、エンコーディングされたデータユニットを４０ＭＨｚ送信が可能な大きさにセグメント化することである。ただし、２０ＭＨｚ帯域幅、８０Ｈｚ帯域幅またはその以上の帯域幅をサポートするインターリーバを使用したり、或いは異なる帯域幅をサポートするインターリーバを使用する場合、該当帯域幅大きさに送信可能にセグメント化することができる。
【０１００】
セグメント化された各々のセグメントデータユニットは、各々のインターリーバによりインターリービングされる（Ｓ１０５０）。インターリービング段階は、図７及び図８に示すインターリービング段階と同様に実行されることができる。
【０１０１】
インターリービングされたセグメントデータユニットは、チャネル帯域にマッピング（ｍａｐｐｉｎｇ）される（Ｓ１０６０）。ここで、インターリービングされたセグメントデータユニット１及びインターリービングされたセグメントデータユニット２は、各々、２０ＭＨｚ大きさに分けられて周波数帯域に割り当てられることができ、互いに連続するチャネル帯域でないチャネル帯域に割り当てられることができる。即ち、図面のように、セグメントデータユニット１の一部であるセグメントデータユニット１ａ及びセグメントデータユニット１ｂと、セグメントデータユニット２の一部であるセグメントデータユニット２ａ及びセグメントデータユニット２ｂは、互いに交差されてマッピングされることができる。ただし、セグメントデータユニット１ａ、１ｂ、２ａ、２ｂは、２０ＭＨｚ大きさに分けられずに、任意の帯域幅大きさによって分けられて周波数帯域にマッピングされることもできる。以後にマッピングされたセグメントデータユニットは、ＩＤＦＴを実行した後に送信されることができる。
【０１０２】
図１１は、本発明の他の実施例に係るデータ送信方法を示す。
【０１０３】
図１１を参照すると、ＭＡＣ階層は、送信しようとするデータを含むＭＳＤＵにＭＡＣヘッダとＦＣＳを付けてＭＰＤＵを生成し、これをＰＨＹ階層に伝達する（Ｓ１１１０）。ＭＰＤＵは、ＰＨＹ階層でＰＳＤＵと呼ばれる。ＰＨＹ階層は、ＭＡＣから伝達を受けたＰＳＤＵにデータ獲得のために必要な情報を含む一つ以上のフィールドを加えてデータユニットを生成する（Ｓ１１２０）。ここで、データユニットは、ＡＰ及び／またはＳＴＡが送信するＰＰＤＵに含まれたデータフィールドである。トレーニングシンボルを含むプリアンブル、ＰＬＣＰヘッダを付けてＰＰＤＵを生成する（Ｓ１１２０）。
【０１０４】
ＰＨＹ階層ではデータユニットをセグメント化する（Ｓ１１３０）。セグメント化することは、図９のセグメント化段階のように４０ＭＨｚ帯域幅をサポートするインターリーバが使われるため、データユニットを４０ＭＨｚ送信が可能な大きさにセグメント化することである。ただし、２０ＭＨｚ帯域幅、８０ＭＨｚ帯域幅またはその以上の帯域幅をサポートするインターリーバを使用したり、或いは異なる帯域幅をサポートするインターリーバを使用する場合、該当帯域幅大きさに送信可能にセグメント化することができる。
【０１０５】
ＰＨＹ階層は、データユニットがセグメント化されて生成されたセグメントデータユニット１及びセグメントデータユニット２を構成するビットシーケンスをエンコーディングする。この時、エンコーディングは、セグメントデータユニットに対して個別的なエンコーダにより各々実行されることができる（Ｓ１１４０）。
【０１０６】
エンコーディングされた各々のセグメントデータユニットは、各々のインターリーバによりインターリービングされる（Ｓ１１５０）。インターリービング段階は、図７及び図８に示すインターリービング段階と同様に実行されることができる。
【０１０７】
インターリービングされたセグメントデータユニットは、チャネル帯域にマッピング（ｍａｐｐｉｎｇ）される（Ｓ１１６０）。ここで、インターリービングされたセグメントデータユニット１及びインターリービングされたセグメントデータユニット２は、各々、２０ＭＨｚ大きさに分けられて周波数帯域に割り当てられることができ、互いに連続するチャネル帯域でないチャネル帯域に割り当てられることができる。これは図１０のチャネル帯域マッピング段階（Ｓ１０６０）と類似するため、詳細な説明は省略する。チャネル帯域にマッピングされたセグメントデータユニットは、ＩＤＦＴを実行した後に送信されることができる。
【０１０８】
図１０及び図１１にセグメントデータユニットをインターリービングし、これをチャネル帯域にマッピングする方法が前述されているが、これは該当図面に示す方法にのみ限定されない。これは図１２を参照してより詳細に説明する。
【０１０９】
図１２は、本発明の実施例に係るセグメントデータユニットをインターリービングし、チャネル帯域にマッピングする段階を示す。
【０１１０】
図１２を参照すると、セグメントデータユニットは個別的にエンコーディングされる（Ｓ１２１０）。ただし、エンコーディング段階は図示と異なるように、データユニットがセグメント化される以前段階で実行されることができる。
【０１１１】
エンコーディングされたセグメントデータユニットは、各々のインターリーバによりインターリービングされる（Ｓ１２２０）。インターリービング段階は、図７及び図８に示すインターリービング段階と同様に実行されることができる。ただし、エンコーディングされたセグメントデータユニット１及びセグメントデータユニット２を構成するビットシーケンスの羅列順序を再配列するために、インターリーバは、異なるインターリービング方法を具現するように設定されることができる。
【０１１２】
インターリービングされたセグメントデータユニットは、チャネル帯域にマッピングされる（Ｓ１２３０）。ここで、特定帯域幅大きさに適するように、セグメントデータユニット１及びセグメントデータユニット２を分けてチャネル帯域にマッピングせずに、インターリーバのアウトプット（ｏｕｔｐｕｔ）ビットを一つずつ副搬送波（ｓｕｂｃａｒｒｉｅｒ）に割り当てる方式にマッピングする。
【０１１３】
これは８０ＭＨｚ帯域幅をサポートするインターリーバを新たに定義しなくても、既存のインターリーバを使用し、一つの８０ＭＨｚ帯域幅を基準にインターリービングする効果を持ってくることができる。また、前述した実施例で提案されたチャネル帯域マッピング結果より既存のデータユニットを構成したビットをよりランダムにチャネル帯域にマッピングすることができる。図１２で提案するインターリービング及びチャネルマッピング段階は、前述したデータ送信方法に適用されることができる。
【０１１４】
前述した多様な実施例において、データユニットをセグメントデータユニットにセグメント化する段階として、データユニットを構成するビットシーケンスの順序を混ぜ、これをセグメントデータユニット１、セグメントデータユニット２に分ける方法で具現されることができる。これはよりランダムにデータユニットをインターリービングして送信ダイバーシティをより高めることができる方法である。
【０１１５】
図１３を参照して詳細に説明する。図１３は、本発明の実施例に係るデータユニットセグメント化段階を示す。
【０１１６】
図１３を参照すると、データユニットを４０ＭＨｚ送信が可能な大きさにセグメント化する（Ｓ１３１０）。この時、データユニットを構成するビットシーケンスを順にセグメントデータユニット１及びセグメントデータユニット２に割り当てる。ここで各セグメントデータユニットに割り当てる単位は、変調次数（ｍｏｄｕｌａｔｉｏｎ  ｏｒｄｅｒ）、或いはビット単位である。
【０１１７】
各セグメントデータユニットは、インターリーバに伝達されてインターリービングされる（Ｓ１３２０）。インターリービング段階は、図７及び図８に示すインターリービング段階と同様に実行されることができる。インターリービングされた各々のセグメントデータユニットは、チャネル帯域に割り当てられ、ＩＤＦＴを実行した後に送信されることができる。
【０１１８】
データユニットのビットシーケンスを順に割り当ててセグメント化することは、ビットシーケンスの全体を帯域幅大きさによって前／後の順に分けてセグメント化する方法より複雑度は増加するが、よりランダムにデータユニットのインターリービング結果を得ることができるという長所がある。また、周波数ダイバーシティの利得をより得ることができるという効果が発生する。
【０１１９】
図１３を参照して説明したデータユニットセグメント化段階は、図面を参照して前述した実施例のセグメント化段階に適用されることができる。
【０１２０】
図１４は、本発明の実施例が適用されることができる無線装置を示すブロック図である。無線装置１４００は、ＡＰまたはＳＴＡである。
【０１２１】
図１４を参照すると、無線装置１４００は、プロセッサ１４１０、メモリ１４２０、及びトランシーバ１４３０を含む。トランシーバ１４３０は、無線信号を送信及び／または受信し、ＩＥＥＥ８０２．１１の物理階層が具現される。プロセッサ１４１０は、トランシーバ１４３０と機能的に連結され、ＩＥＥＥ８０２．１１のＭＡＣ階層及びＭＡＣ階層で伝達されたＰＰＤＵを送信するための方法を実行する物理階層を具現する。プロセッサ１４１０は、無線ＬＡＮでデータ送信方法と関連した図６乃至図１３に示す本発明の実施例を具現するように設定される。
【０１２２】
プロセッサ１４１０及び／またはトランシーバ１４３０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ１４２０は、ＲＯＭ（ｒｅａｄ−ｏｎｌｙ  ｍｅｍｏｒｙ）、ＲＡＭ（ｒａｎｄｏ  ｍａｃｃｅｓｓ  ｍｅｍｏｒｙ）、フラッシュメモリ、メモリカード、格納媒体及び／または他の格納装置を含むことができる。実施例がソフトウェアで具現される時、前述した技法は前述した機能を遂行するモジュール（過程、機能など）で具現されることができる。モジュールは、メモリ１４２０に格納され、プロセッサ１４１０により実行されることができる。メモリ１４２０は、プロセッサ１４１０の内部に含まれることができ、または外部に位置して知られた多様な手段でプロセッサ１４１０と機能的に連結されることができる。
【０１２３】
前述した実施例は多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲に属する全ての交替、修正及び変更を含む。
【図１】
0005890781.tif 000006
【図２】
0005890781.tif 000007
【図３】
0005890781.tif 000008
【図４】
0005890781.tif 000009
【図５】
0005890781.tif 000010
【図６】
0005890781.tif 000011
【図７】
0005890781.tif 000012
【図８】
0005890781.tif 000013
【図９】
0005890781.tif 000014
【図１０】
0005890781.tif 000015
【図１１】
0005890781.tif 000016
【図１２】
0005890781.tif 000017
【図１３】
0005890781.tif 000018
【図１４】
0005890781.tif 000019